(57)【要約】【課題】  板材同士の連結箇所を汚れ難くし、掃除の手間隙を軽減できるようにすると共に、連結箇所の保温性や強度を高く維持できるように形成した風呂蓋を提供する。【解決手段】  硬質性の長い板材１同士を、屈曲自在のジョイント部材２で並列状に連結する。表面６と裏面７の全体を平らな一面に形成する。上記のジョイント部材２に対応する板材１同士の連結箇所３を、中空状に形成する。本発明の場合、板材１の断面形状は、任意である。ジョイント部材２は、例えば断面Ｔ字形の補強材４を備えて形成されているのが好ましい。【選択図】      図１
2006061228.tif 000002
【特許請求の範囲】
【請求項１】
硬質性の長い板材同士が、屈曲自在のジョイント部材で並列状に連結されている風呂蓋であって、表面と裏面の全体が平らな一面に形成され、上記のジョイント部材に対応する板材同士の連結箇所が、中空状に形成されていることを特徴とする風呂蓋。
【請求項２】
請求項１記載の風呂蓋であって、板材が、その長手方向と直交する方向の断面が平行四辺形に形成され、板材同士の連結箇所の、板材の長手方向と直交する方向の断面形状が、板材の連結方向にわたって台形状と逆台形状を交互に呈する状態に板材がジョイント部材で連結されていることを特徴とする風呂蓋。
【請求項３】
請求項２記載の風呂蓋であって、ジョイント部材が断面Ｔ字形の補強材を備え、この補強材の平板状の頭片が板材同士の連結箇所の幅狭状の隙間の位置に板材の外面と面一状に配置され、頭片と直交する脚片が板材同士の連結箇所の中央に板材の厚さ方向に延びて配置されていることを特徴とする風呂蓋。
【請求項４】
請求項１記載の風呂蓋であって、板材が、その長手方向と直交する方向の断面が台形に形成されていることを特徴とする風呂蓋。
【請求項５】
請求項１乃至４の何れかに記載の風呂蓋であって、板材が中空状に形成され、また板材と、板材同士の連結箇所の開口状の端部が閉塞部材で塞がれ、板材同士の連結箇所の端部を塞ぐ閉塞部材が柔軟状に形成されていることを特徴とする風呂蓋。
【発明の詳細な説明】
【技術分野】
【０００１】
本発明は浴槽の開口面を覆うための風呂蓋に関し、更に詳しくは例えば折り畳んだり、巻回して片付けることができるよう形成されている風呂蓋に関するものである。
【背景技術】
【０００２】
従来この種の風呂蓋としては、例えば中空状の板材を、弾性或は軟質プラスチック製の連結部材で連結し、折り畳み可能に形成されているものがある（例えば特許文献１、同２参照）。
【０００３】
しかし従来の風呂蓋は、板材と板材の間に露出する連結部材の部分がシート片状に形成され、しかもこの部分が板材の厚さ方向の中間部や、下側に配置されていた。従って従来品は、板材と板材の間が溝状に形成され、溝状の凹段差部を表裏の両面、或は表面に縞状に有していた。
それ故従来品を使用すると、この凹段差部にカビ等が発生し易く、その結果汚れ易い、という問題点があった。
また従来品は、板材同士の連結箇所が、上記の通り、シート片状に形成されているため、この箇所の保温性や強度が低下する、という問題点があった。
【特許文献１】特開２００３−１６４３８３号公報
【特許文献２】特開２００３−２７５１１６号公報
【発明の開示】
【発明が解決しようとする課題】
【０００４】
本発明は、このような従来技術の問題点に鑑み、提案されたものである。
従って本発明の解決しようとする技術的課題は、板材同士の連結箇所を汚れ難くし、掃除の手間隙を軽減できるようにすると共に、連結箇所の保温性や強度を高く維持できるよう形成した風呂蓋を提供することにある。
【課題を解決するための手段】
【０００５】
本発明は、上記の課題を解決するため、次のような技術的手段を採る。
即ち本発明は、図１等に示されるように、硬質性の長い板材１同士が、屈曲自在のジョイント部材２で並列状に連結されている風呂蓋であって、表面６と裏面７の全体が平らな一面に形成され、上記のジョイント部材２に対応する板材１同士の連結箇所３が、中空状に形成されていることを特徴とする（請求項１）。
ここで、全体が平らな一面とは、ジョイント部材２と板材１とが同一水平面状に形成されている、ということを意味し、これには板材１とジョイント部材２との結合箇所に、結合上避けられない多少の段差がある場合も含まれる。
【０００６】
而して本発明は、板材１が、その長手方向と直交する方向の断面が平行四辺形に形成され、板材１同士の連結箇所３の、板材１の長手方向と直交する方向の断面形状が、板材１の連結方向にわたって台形状と逆台形状を交互に呈する状態に板材１がジョイント部材２で連結されているのが好ましい（請求項２）。
なぜならこれによると、板材１の長手方向に沿った傾斜状の側面が、板材１を折り畳んだとき、ジョイント部材２がすんなり収まるスペースを作り、板材１を重畳状に折り畳み易くなるからである。
【０００７】
また請求項２に係る本発明は、ジョイント部材２が断面Ｔ字形の補強材４を備え、この補強材４の平板状の頭片４ａが板材１同士の連結箇所３の幅狭状の隙間の位置３ａに板材１の外面と面一状に配置され、頭片４ａと直交する脚片４ｂが板材１同士の連結箇所３の中央に板材１の厚さ方向に延びて配置されているのが好ましい（請求項３）。
なぜならこれによると、補強材４によってジョイント部材２の強度、従って連結箇所３の強度を向上できるからである。
【０００８】
また請求項１に係る風呂蓋の場合は、図４等に示されるように、板材１は、その長手方向と直交する方向の断面が台形に形成されているのが好ましい（請求項４）。
なぜならこの場合は、表面６を内側にして板材１を巻くと、連結箇所３の内部にジョイント部材２が収まり、丸めて収納することができるからである。
【０００９】
また請求項１乃至４の何れかに記載の風呂蓋は、板材１が中空状に形成され、また板材１と、板材１同士の連結箇所３の開口状の端部が閉塞部材８で塞がれ、板材１同士の連結箇所３の端部を塞ぐ閉塞部材８が柔軟状に形成されているのが好ましい（請求項５）。
【００１０】
なぜならこれによると、板材１が中空状のため本発明品を軽量化でき、また閉塞部材８によって板材１や板材１同士の連結箇所３の内部に水が入り込むことを防止できるからである。ここで、閉塞部材８が柔軟状に形成されている、とは、ジョイント部材２を介して折り畳んだり巻くときに、閉塞部材８が支障を来たすことなく対応可能に形成されている、ということを意味する。具体的には、連結箇所３の端部を塞ぐ閉塞部材８を、伸縮性の例えばゴムシートや樹脂シートで形成したり、或は伸縮性又は非伸縮性のシートを袋状に余裕を持たせて形作ることで達成される。なおここで、連結箇所３の端部を塞ぐ閉塞部材８とは、板材１の端部を塞ぐ閉塞部材８と別個に形成されているものだけを意味するものではない。即ち、閉塞部材８が、板材１の端部と連結箇所３の端部を連続して一緒に閉塞できるよう、帯状に形成されている場合は、連結箇所３の端部を閉塞する部分８ｂのことを意味する。
【発明の効果】
【００１１】
本発明の風呂蓋は、このように表面と裏面の全体を平らな一面に形成し、ジョイント部材に対応する板材同士の連結箇所を中空状に形成しているものである。
従って本発明の風呂蓋の場合は、汚れやカビが発生し易い段差箇所が表面や裏面にないから、これによると、掃除の手間暇を、従来品よりはるかに軽減できる。
また本発明は、上記の通り、板材同士の連結箇所が中空状に形成されている。従ってこれによると、連結箇所の内部が保温の役目を果たすから、連結箇所の保温性が良くなり、浴槽の湯を冷め難くできる。また本発明によると、一枚のシート片状の連結部材で板材を連結する従来品に比べ、連結箇所の強度を高めることができる。
【発明を実施するための最良の形態】
【００１２】
以下、本発明を実施するための最良の形態を説明する。
本発明の風呂蓋は、図１等に示されるように、硬質性の長い板材１同士が、屈曲自在のジョイント部材２で並列状に連結されている。板材１及びジョイント部材２の厚みは、１５〜２０ｍｍに適宜選定され、連結箇所３の幅狭状の隙間の位置３ａの幅は、上記厚みの２倍の３０〜４０ｍｍに設定され、これにより本発明は、折り畳んだ際にジョイント部材２が板材１の間のスペースに納まるようになっている。
【００１３】
この実施形態に係る本発明では、板材１は、例えばポリエチレン系の硬質樹脂材で中空状に形成され、また板材１は、その長手方向と直交する方向の断面が平行四辺形に形成されている。そして板材１同士の連結箇所３の、板材１の長手方向と直交する方向の断面形状が、板材１の連結方向にわたって台形状と逆台形状を交互に呈する状態に、板材１がジョイント部材２で連結されている。
【００１４】
またジョイント部材２は、この実施形態では断面Ｔ字形の補強材４を備え、この補強材４の平板状の頭片４ａは、板材１同士の連結箇所３の幅狭状の隙間の位置３ａに配置され、頭片４ａと直交する脚片４ｂは、板材１同士の連結箇所３の中央に、板材１の厚さ方向に延びて配置されている。また頭片４ａと板材１とは、頭片４ａの長手方向に延びる側縁と、板材１の側縁との間に、軟質性の例えば合成樹脂材製のヒンジ部２ａが設けられ、このヒンジ部２ａを介して連結されている。
【００１５】
また板材１同士の連結箇所３の幅広状の隙間の位置３ｂには、ジョイント部材２を補強材４と共に構成するジョイント板５が、板材１の外面と面一状に配置されている。このジョイント板５は、板材１の長手方向に沿って平行状に配置されている複数の細長状の硬質板５ａと、この硬質板５ａ同士と、また硬質板５ａと板材１とを連結する軟質合成樹脂材製のヒンジ部５ｂとで形成されている。硬質板５ａは、具体的には脚片４ｂの両側に、平行状に２枚ずつ配置され、計４枚の硬質板５ａがヒンジ部５ｂで連結されることにより、ジョイント板５は１枚の板状に形成されている。
本発明品は、このようにして表面６と裏面７の全体が平らな一面に形成されている。そしてジョイント部材２に対応する板材１同士の連結箇所３が、中空状に形成されている。
【００１６】
またこの実施形態に係る本発明は、板材１と、板材１同士の連結箇所３の開口状の端部が、閉塞部材８で塞がれている。閉塞部材８は、この実施形態では板材１の端部を閉塞する部分８ａと、連結箇所３の端部を閉塞する部分８ｂとを直列状に備えて帯状に形成されている。そして連結箇所３の端部を閉塞する部分８ｂは、板材１の折り畳み操作に支障を与えることがないよう、例えば伸縮性の樹脂シートが袋状に外側方に膨出され、余裕を持って形成されている。
【００１７】
９は、取っ手である。この取っ手９は、最端部の板材１に、例えば軟質合成樹脂材製の屈曲部１０（図２Ｂ等参照）を介して起伏動作自在に取り付けられ、不使用時は板材１の上面側に回され、この板材１の上面に載置可能に形成されている。
【００１８】
次に本発明の風呂蓋の使用例を説明する。
本発明品は、使用者がジョイント部材２の箇所から折り畳むと、幅広状の隙間の位置３ｂに配置されているジョイント板５が、図２Ａに鎖線で示されるように、連結箇所３の内部に折り込まれて収納される。この場合、この実施形態に係る本発明品では、ジョイント部材２が補強材４を備え、ジョイント板５が上記のように形成されているため、ジョイント板５は、同図に示されるように、硬質板５ａがヒンジ部５ｂを介して補強材４の脚片４ｂの両側のスペースに折り込まれる。また板材１が、同図Ｂに示されるように、折り畳まれると、補強材４の頭片４ａは板材１の側部に垂直状に配置される。
【００１９】
以上の処において、本発明の場合、上記の板材１の断面形状は任意であり、例えば図４〜図７に示されるように、その長手方向と直交する方向の断面が台形に形成されているのでも良い。この実施形態に係る本発明品の場合は、図５に示されるように、表面６を内側にして巻くと、表面６側のジョイント部材２が連結箇所３の内部に入り込む。従ってジョイント部材２が巻き取り操作に支障を来たすことがない。この本発明品の場合も、板材１や連結箇所３の端部は、上例と同様、水の浸入を防止できるよう閉塞部材８で塞がれているのが良い。
【００２０】
また本発明の場合、閉塞部材８は、板材１の端部を閉塞する部分８ａと、連結箇所３の端部を閉塞する部分８ｂが連結され、帯状に形成されている場合には限られず、各端部を個別に閉塞可能になるよう、独立状に形成されているのでも良い。
またジョイント部材２を構成する上記のジョイント板５は、上例では硬質板５ａとヒンジ部５ｂとで一枚の板片に形成されているが、これには限られず、全体がゴム板（ゴムシート）や軟質の樹脂板（樹脂シート）等で形成されているのでも良い。
【図面の簡単な説明】
【００２１】
【図１】本発明の風呂蓋の好適な一実施形態を示し、Ａは要部分解斜視図、Ｂは要部断面図である。
【図２】Ａ、Ｂ共に、同上風呂蓋の折り畳み作用を説明するための要部断面図である。
【図３】同上風呂蓋の要部斜視図である。
【図４】同上風呂蓋の他の実施形態を示す要部断面図である。
【図５】図４に係る本発明品の巻回時の要部断面図である。
【図６】図４に係る本発明品の要部斜視図である。
【図７】図４に係る本発明品を示し、Ａは要部平面図、Ｂは要部斜視図である。
【符号の説明】
【００２２】
１      板材
２      ジョイント部材
３      連結箇所
４      補強材
５      ジョイント板
６      表面
７      裏面
８      閉塞部材
９      取っ手
１０    屈曲部
【図１】
2006061228.tif 000003
【図２】
2006061228.tif 000004
【図３】
2006061228.tif 000005
【図４】
2006061228.tif 000006
【図５】
2006061228.tif 000007
【図６】
2006061228.tif 000008
【図７】
2006061228.tif 000009